(57)【要約】      （修正有）【課題】剥がれにくく、滑り止め効果が十分で、かつデザイン性にも優れた靴用中敷きの滑り止め構造、靴用中敷き及び靴を提供する。【解決手段】靴用中敷き１０は、前足部１１と中後足部１２とから形成される。前足部１１は、例えば制菌加工されたポリエステル樹脂から形成された多孔質材料から形成され吸乾湿機能とともにクッション性を有する。中後足部１２は、ナイロン素材等の光沢ある素材から構成される。前足部１１には、中央に滑り止め部１３が形成されている。滑り止め部１３は、シリコン材料から形成される。滑り止め部１３は、前足部１１の多孔質材料上に、シリコン材料を塗布して形成されたものである。滑り止め部１３を形成する個片は、それぞれ枠線部と、枠線部内に形成される六角形状の複数の格子状部とからなる。【選択図】図１
0003198942.tif 000002
【実用新案登録請求の範囲】
【請求項１】
靴用中敷きの前足部に形成される靴用中敷きの滑り止め構造であって、
前記中敷きの前足部は、多孔質材料からなり、
前記多孔質材料上に、滑り止め部が接着され、
前記滑り止め部は、所定の模様を表す枠線部と、前記枠線部を格子状部と、から形成される、靴用中敷きの滑り止め構造。
【請求項２】
前記枠線部は、四葉模様又はハート形状に形成された、請求項１の靴用中敷きの滑り止め構造。
【請求項３】
前記格子状部は、六角形の蜂の巣形状である、請求項１又は２の靴用中敷きの滑り止め構造。
【請求項４】
前記多孔質材料は、ポリエステルからなり、
前記滑り止め部は、シリコンからなる、請求項１〜３のいずれか１項の靴用中敷きの滑り止め構造。
【請求項５】
請求項１〜４のいずれか１項の靴用中敷きの滑り止め構造を備えた靴用中敷き。
【請求項６】
請求項５の靴用中敷きを備えた靴。
【考案の詳細な説明】
【技術分野】
【０００１】
本考案は、靴用中敷きの滑り止め構造、靴用中敷き及び靴に関する。
【背景技術】
【０００２】
従来、靴用の中敷きは、クッション性、通気性などに配慮したものに加え、靴の中における足の移動を抑制する滑り止め機能を備えたものが知られている（下記特許文献１及び２参照）。
【０００３】
一般に、滑り止め機能を有する中敷きは、靴の前足部近傍に配置することで、靴の中における足の前滑りを防止するものであり、特許文献１のように、既製の靴に対して補助的に挿入して用いるタイプのものも多く知られている。
【先行技術文献】
【特許文献】
【０００４】
【特許文献１】特開２０１３−２４０６４４号公報
【特許文献２】特開２０１０−２８４２１２号公報
【考案の概要】
【考案が解決しようとする課題】
【０００５】
ところで、特許文献１に示されるような靴用の中敷きでは、既製の靴に対して補助的に用いるため、使用者によって靴底の取り付ける位置が異なったり、使用後しばらく経過すると剥がれてしまったりすることがあった。また、特許文献１及び２に示されるとおり、滑り止め機能を重視する向きが強く、例えば、女性用のパンプスなどファッション性の高い靴の使用者には、デザイン的に合わず、利用し難かった。一方で、デザイン面に配慮して、滑り止め部分を小さく形成した場合には、滑り止め効果が十分でない場合があった。しかしながら、女性用の靴においてこそ、ヒールが高いことによる靴の中での足の前方移動が顕著であるから、中敷きの滑り止めについてのニーズは高い。
【０００６】
本考案はこのような課題に鑑みてなされたものであり、その目的は、剥がれにくく、滑り止め効果が十分で、かつデザイン性にも優れた靴用中敷きの滑り止め構造、靴用中敷き及び靴を提供することにある。
【課題を解決するための手段】
【０００７】
上記課題を解決するべく本考案の靴用中敷きの滑り止め構造は、靴用中敷きの前足部に形成される靴用中敷きの滑り止め構造であって、前記中敷きの前足部は、多孔質材料からなり、前記多孔質材料上に、滑り止め部が接着され、前記滑り止め部は、所定の模様を表す枠線部と、前記枠線部を格子状部と、から形成される。
【０００８】
この考案によれば、中敷きの前足部の多孔質材料に、滑り止め部が接着されているので、滑り止め部が使用により剥がれるようなことがない。特に、前足部が多孔質材料であるので、滑り止め部を溶着させたような場合には多孔質材料に浸透して接着されるのでより剥がれにくい。また、滑り止め部が、枠線部と格子状部とからなり、足と滑り止め部との接触領域を広く確保できるとともに、格子状の間から多孔質材料を露出させることができるので、滑り止め効果とともに通気性を確保することができる。
【０００９】
本考案の前記枠線部は、四葉模様又はハート形状に形成されていても良い。滑り止め部は、枠線部と格子状部とからなるので、任意のデザインで形成することが可能であり、靴用中敷き又はそれを用いた靴において高いデザイン性を奏することが可能である。
【００１０】
本考案の前記格子状部は、六角形状で形成してもよい。これにより、格子状部は、靴の中での足の移動による足から係る力を全方向において受けることができるので、靴の中における如何なる足の移動に対しても滑り止め効果を高く発揮することができる。
【００１１】
本考案の前記多孔質材料は、ポリエステルからなり、前記滑り止め部は、シリコンにより構成することもできる。これにより、靴用中敷きの前足部を制菌効果のある素材により構成しつつ、シリコンを当該前足部に含浸させることが可能であり、滑り止め効果とともに、抗菌性を高めることができる。
【００１２】
また、本考案は、上述した靴用中敷きの滑り止め構造を備えた靴用中敷きとともに、この靴用中敷きを備えた靴として捉えることも可能である。
【考案の効果】
【００１３】
本考案によれば、剥がれにくく、滑り止め効果が十分で、かつデザイン性にも優れた靴用中敷きの滑り止め構造、靴用中敷き及び靴を提供することができる。
【図面の簡単な説明】
【００１４】
【図１】本考案の一実施形態に係る靴用中敷き及び靴の概略を示す模式図である。
【図２】本考案の一実施形態に係る靴用中敷きの滑り止め構造の具体的構成を示す部分拡大図である。
【図３】図２のＡ−Ａ断面図である。
【図４】図１の靴用中敷きを靴に挿入した状態を示す図である。
【図５】本考案の他の実施形態に係る靴用中敷きを示す模式図である。
【考案を実施するための形態】
【００１５】
以下、添付図面を参照しながら本考案の実施形態（以下、本実施形態という。）について説明する。各図面において同一の構成要素に対しては可能な限り同一の符合を付し、重複する説明は省略する。
【００１６】
図１に本実施形態に係る靴用中敷き及び靴の全体構成を示す。図１に示すとおり、本実施形態の靴用中敷き１０は、靴２０に挿入されて用いられるものである。ここでは、靴２０として、婦人用のパンプスを例として示しているが、本考案において靴用中敷き１０を用いる靴としてはこの例に限られない。
【００１７】
靴用中敷き１０は、前足部１１と中後足部１２とから形成される。前足部１１は、使用者が靴１０に足入れをした際に、足の拇指球及び小指球からつま先を支える部分に形成され、中後足部１２は、足の拇指球部分及び小指球よりも後方の土踏まずから踵を支える部分に形成される。
【００１８】
前足部１１と中後足部１２とは、異なる素材により構成される。すなわち、前足部１１は、例えば制菌加工されたポリエステル樹脂から形成された多孔質材料から形成され吸乾湿機能とともにクッション性を有する。中後足部１２は、ナイロン素材等の光沢ある素材から構成され、例えば、踵部分付近には、型押し等によりブランド名などを刻印可能に構成されている。
【００１９】
前足部１１には、中央に滑り止め部１３が形成されている。この滑り止め部１３は、シリコン材料から形成される。滑り止め部１３は、前足部１１の多孔質材料上に、シリコン材料を塗布して形成されたものである。
【００２０】
滑り止め部１３は、本実施形態において、全体として四葉状を模しており、４つのハート形状の個片１３ａ〜１３ｄを合わせることにより構成されている。より具体的には、図２に示すとおり、滑り止め部１３を形成する個片１３ａ〜１３ｄは、それぞれ枠線部１３１と、枠線部１３１内に形成される六角形状の複数の格子状部１３２とからなる。なお、滑り止め部１３は、枠線部１３１と格子状部１３２とから構成することで、任意のデザインで形成することが可能であり、例えば、図５に示すとおり、滑り止め部１３´を大きく一つのハート形状により構成することも可能である。
【００２１】
このような滑り止め部１３は、前足部１１に次のとおりに形成される。まず、多孔質材料からなる前足部１１上に加工形状（ここでは４つのハート形状により形成される四葉状）の印刷版を登載する。次に、液体状にしたシリコン材料を、版の上から塗布し、乾燥させる。滑り止め部１３が所望の厚さになっていない場合には、塗布したシリコン材料が乾燥した後、複数回塗布を繰り返す。
【００２２】
以上のような工程を経て、前足部１１上に、滑り止め部１３が形成される。図３に、図２に示す滑り止め部１３のＡ−Ａ断面図を示す。これによれば、滑り止め部１３は、前足部１１上に、凸状に形成されていることがわかる。また、図４に、滑り止め部１３を形成した靴用中敷き１０を、靴２０の底に貼付した状態を示す。この図に示すとおり、滑り止め部１３は、靴２０から視認可能な位置に形成されている。
【００２３】
以上説明した本考案の靴用中敷き１０における滑り止め構造では、前足部１１の多孔質材料に、滑り止め部１３が接着されているので、滑り止め部１３が使用により剥がれるようなことがない。特に、前足部１１が多孔質材料であるので、滑り止め部１３を溶着させた場合に多孔質材料に浸透して接着されるのでより剥がれにくい。また、滑り止め部１３が、枠線部１３１と格子状部１３２とからなり、足と滑り止め部１３との接触領域を広く確保できるとともに、格子状部１３２の間から多孔質材料の前足部１１を露出させることができるので、滑り止め効果とともに通気性を確保することができる。
【００２４】
滑り止め部１３は、枠線部１３１と格子状部１３２とからなるので、任意のデザインで形成することが可能であり、靴用中敷き１０又はそれを用いた靴２０において高いデザイン性を奏することが可能である。
【００２５】
格子状部１３２は、六角形状で形成されているので、格子状部１３２は、靴２０の中での足の移動による足から係る力を全方向において受けることができる。したがって、靴２０の中における如何なる足の移動に対しても滑り止め効果を高く発揮することができる。
【００２６】
前足部１１を構成する多孔質材料は、ポリエステル樹脂からなり、滑り止め部１３は、シリコンにより構成したことで、靴用中敷き１０の前足部１１を制菌効果のある素材により構成しつつ、シリコンを前足部１１に含浸させることが可能であり、滑り止め効果とともに、抗菌性を高めることができる。
【００２７】
以上、本考案の実施形態を説明したが、これは本考案の説明のための例示であって、本考案の範囲をこの実施形態にのみ限定する趣旨ではない。本考案は、他の種々の実施形態でも実施することが可能である。
【符号の説明】
【００２８】
１０：靴
１１：前足部
１２：中後足部
１３、１３´：滑り止め部
２０：靴
１３１：枠線部
１３２：格子状部
【図１】
0003198942.tif 000003
【図２】
0003198942.tif 000004
【図３】
0003198942.tif 000005
【図４】
0003198942.tif 000006
【図５】
0003198942.tif 000007